(57)【要約】【課題】ディスクのデータ記録領域に異物が付着することを抑えることができるディスク用マガジンを提供する。【解決手段】本開示に係るディスクィスク用マガジンは、複数枚のディスクを積層状態で収納する樹脂製のディスクトレイと、ディスクトレイを収納するトレイホルダとを備えるディスク用マガジンである。トレイホルダの一側面には、ディスクトレイを挿抜可能な開口部が設けられている。ディスクトレイには、開口部に挿入される側の前壁部分に、ディスクトレイの天面よりも上方に突出するように摺動部材が取り付けられている。摺動部材は、ディスクトレイを構成する樹脂材料とは異なる樹脂材料で構成されている。【選択図】図４
2018101453.tif 000002
【特許請求の範囲】
【請求項１】
複数枚のディスクを積層状態で収納する樹脂製のディスクトレイと、
前記ディスクトレイを収納するトレイホルダと、
を備えるディスク用マガジンであって、
前記トレイホルダの一側面には、前記ディスクトレイを挿抜可能な開口部が設けられ、
前記ディスクトレイには、前記開口部に挿入される側の前壁部分に、当該ディスクトレイの天面よりも上方に突出するように摺動部材が取り付けられ、
前記摺動部材は、前記ディスクトレイを構成する樹脂材料とは異なる樹脂材料で構成されている、ディスク用マガジン。
【請求項２】
前記摺動部材は、前記ディスクトレイを構成する樹脂材料よりも摺動性が高い樹脂材料で構成されている、請求項１に記載のディスク用マガジン。
【請求項３】
前記ディスクトレイの下面から前記摺動部材の頂部までの高さは、前記トレイホルダの内部空間の高さよりも低い、請求項１又は２に記載のディスク用マガジン。
【請求項４】
前記トレイホルダの天壁の下面には、前記複数枚のディスクの中心穴に対向する中心部から外周部に近づくに従い上方に傾斜する傾斜面が形成され、
前記ディスクトレイが前記トレイホルダの内部に挿入されるときにおける前記摺動部材の頂部と前記トレイホルダの天壁の下面との隙間の最大高さは、前記トレイホルダの天壁の下面と前記ディスクトレイの天面との隙間の最小高さよりも短い、
請求項１〜３のいずれか１つに記載のディスク用マガジン。
【請求項５】
前記摺動部材の頂部は、半球状又は略半球状に形成されている、請求項１〜４のいずれか１つに記載のディスク用マガジン。
【請求項６】
前記摺動部材は、前記ディスクトレイの幅方向の中心に対して左右対称な位置に複数取り付けられている、請求項１〜５のいずれか１つに記載のディスク用マガジン。
【請求項７】
前記ディスクトレイの底壁には、当該ディスクトレイに収納された複数枚のディスクの中心穴をそれぞれ貫通するように芯棒が取り付けられ、
前記芯棒の頂部は、前記ディスクトレイの天面よりも上方に突出するとともに、前記ディスクトレイを構成する樹脂材料とは異なる樹脂材料で構成されている、
請求項１〜６のいずれか１つに記載のディスク用マガジン。
【請求項８】
前記芯棒の頂部は、前記ディスクトレイを構成する樹脂材料よりも摺動性が高い樹脂材料で構成されている、請求項７に記載のディスク用マガジン。
【請求項９】
前記ディスクトレイの下面から前記芯棒の頂部までの高さは、前記トレイホルダの内部空間の高さよりも低い、請求項７又は８に記載のディスク用マガジン。
【発明の詳細な説明】
【技術分野】
【０００１】
本開示は、複数枚のディスク（ＣＤやＤＶＤなどのディスク状の情報記憶媒体）を積層状態で収納するディスクトレイと、当該ディスクトレイを収納するトレイホルダとを備えるディスク装置に関する。
【背景技術】
【０００２】
近年、複数のディスクドライブのそれぞれにディスクを供給するディスク装置が開発されている。この種のディスク装置として、例えば、特許文献１（特開２０１４−１３６３９号公報）に記載された装置が知られている。図１０は、従来のディスク装置の構成を模式的に示す斜視図である。
【０００３】
従来のディスク装置は、装置奥行き方向Ｘ１に延在する２つのマガジンストッカー１０１，１０１を備えている。２つのマガジンストッカー１０１，１０１は、底シャーシ１１１上において、装置幅方向Ｙ１に互いに対向するように設けられている。なお、図１０では、一方（手前側）のマガジンストッカー１０１の図示を省略している。
【０００４】
各マガジンストッカー１０１には、複数のディスク用マガジン（以下、マガジンという）１０２が収納されている。各マガジン１０２は、複数枚のディスクを積層状態で収納する樹脂製のディスクトレイ（マガジントレイともいう）１２１と、ディスクトレイ１２１を収納する箱状のトレイホルダ（図示せず）とを有している。２つのマガジンストッカー１０１，１０１の間には、複数のマガジン１０２の中から選択された１つのマガジン１０２のトレイホルダからディスクトレイ１２１を引き出し、当該ディスクトレイ１２１を保持するピッカー１０３が設けられている。
【０００５】
ピッカー１０３は、当該保持したディスクトレイ１２１を、装置後方に配置された複数のディスクドライブ１０４の近傍まで搬送するように構成されている。ピッカー１０３には、ディスクトレイ１２１から複数枚のディスクを押し出すリフター１０５が一体的に設けられている。
【０００６】
ディスクドライブ１０４は、ディスクに対して情報の記録又は再生を行う装置である。また、ディスクドライブ１０４は、トレイを用いてディスクをローディングするトレイ方式のディスクドライブである。複数のディスクドライブ１０４は、装置高さ方向Ｚ１に積層され、装置後方において各マガジンストッカー１０１，１０１に隣接して配置されている。一方のマガジンストッカー１０１に隣接して積層配置された複数のディスクドライブ１０４と、他方のマガジンストッカー１０１に隣接して積層配置された複数のディスクドライブ１０４との間には、キャリア１０６が設けられている。
【０００７】
キャリア１０６は、リフター１０５により押し出された複数枚のディスクを積層状態で保持し、任意のディスクドライブ１０４から排出されたトレイの上方で、前記保持した複数枚のディスクから１枚のディスクを分離し、当該分離したディスクを前記トレイに載置するように構成されている。
【０００８】
キャリア１０６及び複数のディスクドライブ１０４より更に装置後方には、電気回路及び電源１０７が設けられている。電気回路及び電源１０７には、ピッカー１０３、ディスクドライブ１０４、キャリア１０６などの各装置の動作（モータ等）を制御する制御部が設けられている。当該制御部は、例えば、データを管理するホストコンピュータに接続されている。ホストコンピュータは、オペレータの指示に基づき、指定のマガジン１０２へのデータの書き込み又は読み出し等の動作を行うように制御部に指令を送る。制御部は、当該指令に従い、ピッカー１０３、ディスクドライブ１０４、キャリア１０６などの各装置の動作を制御する。
【先行技術文献】
【特許文献】
【０００９】
【特許文献１】特開２０１４−１３６３９号公報
【発明の概要】
【発明が解決しようとする課題】
【００１０】
近年、クラウドコンピューティングの進展に伴い、前記ディスク装置においては、データ容量のより一層の増加が求められている。データ容量を増加させるには、単純には、マガジンの数を増加させ、ディスクの収納枚数を増加させればよいと考えられる。
【００１１】
しかしながら、前記ディスク装置は、１９インチラックなどの限られたスペースに設置されることが想定されるため、装置が大型化することは望ましくない。このため、装置に占めるマガジンの占有率を下げるために、ディスクトレイとトレイホルダとの隙間をより小さくするなど、マガジンを薄型化することが検討されている。
【００１２】
ディスクトレイとトレイホルダとの隙間を小さくした場合、トレイホルダにディスクトレイを挿入するとき、トレイホルダの天壁の下面を樹脂製のディスクトレイの天面が摺動し、当該ディスクトレイの天面が擦られて粉体が発生することが起こり得る。この粉体がディスクのデータ記録領域に付着すると、ディスクに対してデータの記録及び／又は再生を行うことができないことが起こり得る。
【００１３】
従って、ディスクのデータ記録領域に粉体などの異物が付着することを抑えるという観点において、従来のディスク用マガジンは未だ改善の余地がある。
【００１４】
本開示の目的は、前記課題を解決することにあって、ディスクのデータ記録領域に異物が付着することを抑えることができるディスク用マガジンを提供することにある。
【課題を解決するための手段】
【００１５】
本開示におけるディスク用マガジンは、複数枚のディスクを積層状態で収納する樹脂製のディスクトレイと、
前記ディスクトレイを収納するトレイホルダと、
を備えるディスク用マガジンであって、
前記トレイホルダの一側面には、前記ディスクトレイを挿抜可能な開口部が設けられ、
前記ディスクトレイには、前記開口部に挿入される側の前壁部分に、当該ディスクトレイの天面よりも上方に突出するように摺動部材が取り付けられ、
前記摺動部材は、前記ディスクトレイを構成する樹脂材料とは異なる樹脂材料で構成されている。
【発明の効果】
【００１６】
本開示のディスク用マガジンによれば、ディスクのデータ記録領域に異物が付着することを抑えることができる。
【図面の簡単な説明】
【００１７】
【図１】実施形態に係るディスク装置の外観斜視図である。
【図２】図１のディスク装置から１つのマガジンユニットを引き出した状態を示す斜視図である。
【図３】図１のディスク装置から１つのマガジンユニットを引き出した状態を示す斜視図である。
【図４】マガジンの分解斜視図である。
【図５】ディスクトレイの平面図である。
【図６】トレイホルダの分解斜視図である。
【図７】トレイホルダの上ホルダを斜め下方から見た斜視図である。
【図８】ディスクトレイがトレイホルダに収納された状態を示す図４のＡ１−Ａ１線断面図である。
【図９】ディスクトレイがトレイホルダに収納された状態を示す図４のＡ２−Ａ２線断面図である。
【図１０】従来のディスク装置の構成を模式的に示す斜視図である。
【発明を実施するための形態】
【００１８】
（本開示の基礎となった知見）
発明者らは、ディスクのデータ記録領域に異物が付着することを抑えるため、鋭意検討した結果、以下の新規な知見を得た。
【００１９】
まず、前記粉体の発生を抑える方法として、簡単には、ディスクトレイとトレイホルダとが摺動する部分にグリスを塗布することが考えられる。しかしながら、この場合、グリスがトレイホルダの天壁の下面に付着してディスクのデータ記録領域に転写されることが起こり得る。特に、データ容量を増加させるために、ディスクとして両主面にデータ記録領域を有する両面ディスクを用いる場合には、グリスがディスクのデータ記録領域に転写される可能性が高くなる。従って、この方法では、ディスクのデータ記録領域に異物が付着することを抑えることはできない。
【００２０】
また、前記粉体の発生を抑える方法として、ディスクトレイを摺動性が高い樹脂材料で構成することが考えられる。しかしながら、一般的に樹脂材料の摺動性と剛性とはトレードオフの関係にある。前述したように、マガジンの薄型化が求められており、ディスクトレイの壁もできる限り薄くすることが求められている。このため、ディスクトレイの壁を厚くすることでディスクトレイの強度を十分に確保することはできない。従って、ディスクトレイには、剛性が高い樹脂材料を用いることが求められる。
【００２１】
そこで、発明者らは、鋭意検討した結果、ディスクトレイを構成する樹脂材料とは異なる樹脂材料で構成された摺動部材を、ディスクトレイの前壁部分に当該ディスクトレイの天面よりも上方に突出するように取り付ける構成を見出した。この構成によれば、摺動部材がディスクトレイの天面よりも上方に突出するように取り付けられることで、ディスクトレイをトレイホルダの内部に挿入するとき、ディスクトレイの天面よりも先に摺動部材がトレイホルダに接触することになる。また、摺動部材をディスクトレイの前壁部分に取り付けることで、ディスクトレイをトレイホルダの内部に挿入する間、摺動部材によってトレイホルダの天壁の下面とディスクトレイの天面とが接触することを抑えることができる。また、ディスクトレイを構成する樹脂材料とは異なる樹脂材料で摺動部材を構成することで、それぞれに適した樹脂材料を用いることができる。例えば、ディスクトレイには剛性が高い樹脂材料を用いる一方で、摺動部材には摺動性が高い樹脂材料を用いることができる。
【００２２】
これらの新規な知見に基づき、発明者らは、以下の発明に至った。
【００２３】
本開示の第１態様によれば、複数枚のディスクを積層状態で収納する樹脂製のディスクトレイと、
前記ディスクトレイを収納するトレイホルダと、
を備えるディスク用マガジンであって、
前記トレイホルダの一側面には、前記ディスクトレイを挿抜可能な開口部が設けられ、
前記ディスクトレイには、前記開口部に挿入される側の前壁部分に、当該ディスクトレイの天面よりも上方に突出するように摺動部材が取り付けられ、
前記摺動部材は、前記ディスクトレイを構成する樹脂材料とは異なる樹脂材料で構成されている、ディスク用マガジンを提供する。
【００２４】
本開示の第２態様によれば、前記摺動部材は、前記ディスクトレイを構成する樹脂材料よりも摺動性が高い樹脂材料で構成されている、第１態様に記載のディスク用マガジンを提供する。
【００２５】
本開示の第３態様によれば、前記ディスクトレイの下面から前記摺動部材の頂部までの高さは、前記トレイホルダの内部空間の高さよりも低い、第１又は２態様に記載のディスク用マガジンを提供する。
【００２６】
本開示の第４態様によれば、前記トレイホルダの天壁の下面には、前記複数枚のディスクの中心穴に対向する中心部から外周部に近づくに従い上方に傾斜する傾斜面が形成され、
前記ディスクトレイが前記トレイホルダの内部に挿入されるときにおける前記摺動部材の頂部と前記トレイホルダの天壁の下面との隙間の最大高さは、前記トレイホルダの天壁の下面と前記ディスクトレイの天面との隙間の最小高さよりも短い、
第１〜３態様のいずれか１つに記載のディスク用マガジンを提供する。
【００２７】
本開示の第５態様によれば、前記摺動部材の頂部は、半球状又は略半球状に形成されている、第１〜４態様のいずれか１つに記載のディスク用マガジンを提供する。
【００２８】
本開示の第６態様によれば、前記摺動部材は、前記ディスクトレイの幅方向の中心に対して左右対称な位置に複数取り付けられている、第１〜５態様のいずれか１つに記載のディスク用マガジンを提供する。
【００２９】
本開示の第７態様によれば、前記ディスクトレイの底壁には、当該ディスクトレイに収納された複数枚のディスクの中心穴をそれぞれ貫通するように芯棒が取り付けられ、
前記芯棒の頂部は、前記ディスクトレイの天面よりも上方に突出するとともに、前記ディスクトレイを構成する樹脂材料とは異なる樹脂材料で構成されている、
第１〜６態様のいずれか１つに記載のディスク用マガジンを提供する。
【００３０】
本開示の第８態様によれば、前記芯棒の頂部は、前記ディスクトレイを構成する樹脂材料よりも摺動性が高い樹脂材料で構成されている、第７態様に記載のディスク用マガジンを提供する。
【００３１】
本開示の第９態様によれば、前記ディスクトレイの下面から前記芯棒の頂部までの高さは、前記トレイホルダの内部空間の高さよりも低い、第７又は８態様に記載のディスク用マガジンを提供する。
【００３２】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００３３】
なお、発明者らは、当業者が本開示を十分に理解するために添付図面及び以下の説明を提供するものであって、これらによって特許請求の範囲に記載の主題を限定することを意図するものではない。
【００３４】
また、以下では、説明の便宜上、通常使用時の状態を想定して「上」、「下」、「底」、「天」、「前」、「後」等の方向を示す用語を用いるが、本開示のディスク用マガジンの使用状態等を限定することを意味するものではない。
【００３５】
《実施形態》
図１は、実施形態に係るディスク装置１の外観斜視図である。
【００３６】
実施形態に係るディスク装置１は、２つのマガジンストッカー２，２を備えている。２つのマガジンストッカー２，２は、装置幅方向Ｙに互いに対向するように設けられている。各マガジンストッカー２は、装置幅方向Ｙに対して直交又は略直交する装置高さ方向Ｚに積層配置された複数のマガジンユニット３を備えている。
【００３７】
図２及び図３は、ディスク装置１から１つのマガジンユニット３を引き出した状態を示す斜視図である。マガジンユニット３は、図２又は図３に示すように、マガジン４をそれぞれ収納する複数のマガジンホルダ５と、ディスク装置１の筐体１Ａの側面に沿って、装置幅方向Ｙ及び装置高さ方向Ｚに対して直交又は略直交する装置奥行き方向Ｘにスライド可能に設けられたレール６とを備えている。レール６の前端部（装置前方側の端部）には、装置幅方向Ｙに延在するように把手部７が取り付けられている。
【００３８】
マガジン４には、複数枚のディスクが収納されている。ディスク装置１には、複数のマガジン４の中から選択された１つのマガジン４に収納された複数枚のディスクを、複数のディスクドライブのそれぞれに供給するディスク供給機構（図示せず）が設けられている。なお、マガジン４以外の構成については、特に限定されるものではなく、種々の構成を採ることができる。例えば、従来のディスク装置の構成と同様の構成を採ることができる。このため、ここでは、マガジン４以外の構成の詳細な説明は省略する。
【００３９】
図４は、マガジン４の分解斜視図である。図４に示すように、マガジン４は、複数枚（例えば、１０枚）のディスク１００を積層状態で収納する樹脂製のディスクトレイ４１と、ディスクトレイ４１を収納するトレイホルダ４２とを備えている。トレイホルダ４２の前面（Ｙ方向の一側面）には、ディスクトレイ４１を挿抜可能な開口部４２ａが設けられている。
【００４０】
図５は、ディスクトレイ４１の平面図である。ディスクトレイ４１は、図５に示すように、外形が平面視において略矩形状に形成されている。ディスクトレイ４１は、複数枚のディスク１００を互いに密着して積層した状態で収納する。ディスクトレイ４１は、例えば、アクリロニトリル・ブタジエン・スチレン（ＡＢＳ）樹脂などの剛性が高い樹脂材料で構成されている。実施形態において、各ディスク１００は、両面にデータ記録領域を有する両面ディスクである。
【００４１】
ディスクトレイ４１には、図４又は図５に示すように、開口部４２ａに挿入される側の前壁部分４１ａに、当該ディスクトレイ４１の天面４１ｂよりも上方に突出するように摺動部材４３が取り付けられている。摺動部材４３は、例えば、ディスクトレイ４１の天面４１ｂに形成された貫通穴（図示せず）に弾性変形しながら押し込まれることによって取り付けられている。ディスクトレイ４１の天面４１ｂよりも上方に突出する摺動部材４３の頂部４３ａは、半球状又は略半球状に形成されている。
【００４２】
摺動部材４３は、ディスクトレイ４１の幅方向Ｘの中心（図５の一点破線）に対して左右対称な位置に複数取り付けられている。実施形態において、摺動部材４３は、ディスクトレイ４１の幅方向Ｘの中心に対して左右対称な位置に２つ取り付けられている。
【００４３】
また、ディスクトレイ４１の下面から摺動部材４３の頂部４３ａまでの高さは、トレイホルダ４２の内部空間の高さよりも低くなっている。すなわち、ディスクトレイ４１がトレイホルダ４２内に収納され状態において、摺動部材４３の頂部４３ａはトレイホルダ４２に接触しないように構成されている。
【００４４】
摺動部材４３は、ディスクトレイ４１を構成する樹脂材料とは異なる樹脂材料で構成されている。実施形態において、摺動部材４３は、ディスクトレイ４１を構成する樹脂材料よりも摺動性が高い樹脂材料で構成されている。例えば、摺動部材４３は、ポリアセタール（ＰＯＭ）、ポリアミド（ＰＡ）、ポリテトラフルオロエチレン（ＰＴＦＥ）などの樹脂材料で構成されている。
【００４５】
ディスクトレイ４１の底壁４１ｃには、ディスクトレイ４１に収納された複数枚のディスク１００の中心穴１００ａをそれぞれ貫通するように芯棒４４が取り付けられている。芯棒４４は、複数枚のディスク１００の中心穴１００ａに挿入され、各ディスク１００の面方向の移動を規制する。この芯棒４４により、各ディスク１００の面方向の移動による各ディスク１００の傷付きが防止される。
【００４６】
芯棒４４の頂部４４ａは、ディスクトレイ４１の天面４１ｂよりも上方に突出するように構成されている。ディスクトレイ４１の下面から芯棒４４の頂部４４ａまでの高さは、トレイホルダ４２の内部空間の高さよりも低くなっている。すなわち、ディスクトレイ４１がトレイホルダ４２内に収納された状態において、芯棒４４の頂部４４ａはトレイホルダ４２に接触しないように構成されている。
【００４７】
芯棒４４の頂部４４ａは、ディスクトレイ４１を構成する樹脂材料とは異なる樹脂材料で構成されている。実施形態においては、芯棒４４の全体が、ディスクトレイ４１を構成する樹脂材料よりも摺動性が高い樹脂材料で構成されている。例えば、芯棒４４は、ポリアセタール（ＰＯＭ）、ポリアミド（ＰＡ）、ポリテトラフルオロエチレン（ＰＴＦＥ）などの樹脂材料で構成されている。
【００４８】
図６は、トレイホルダ４２の分解斜視図である。図６に示すように、トレイホルダ４２は、下ホルダ４５と、上ホルダ４６とを組み合わせることにより構成されている。下ホルダ４５は、ディスクトレイ４１が載置されるトレイホルダ４２の底壁を構成する。上ホルダ４６は、ディスクトレイ４１に収納されたディスク１００の上面を覆うトレイホルダ４２の天壁を構成する。
【００４９】
図７は、上ホルダ４６を斜め下方から見た斜視図である。図８は、ディスクトレイ４１がトレイホルダ４２に収納された状態を示す図４のＡ１−Ａ１線断面図である。図９は、ディスクトレイ４１がトレイホルダ４２に収納された状態を示す図４のＡ２−Ａ２線断面図である。なお、図８及び図９においては、理解を容易にするため、各部材の傾斜角度、寸法等を誇張して図示している。
【００５０】
図７〜図９に示すように、上ホルダ４６の下面には、芯棒４４（ディスク１００の中心穴１００ａ）に対向する中心部４６ａから外周部４６ｂに近づくに従い上方に傾斜する傾斜面４６ｃ，４６ｄが形成されている。実施形態において、中心部４６ａに隣接する傾斜面４６ｃは、外周部４６ｂに隣接する傾斜面４６ｄよりも傾斜角度が大きくなっている。これにより、上ホルダ４６の中心部４６ａは、他の部分に比べて厚さが厚く形成されている。
【００５１】
また、上ホルダ４６の下面には、上ホルダ４６の両側壁４６ｅに沿うように（Ｙ方向に沿うように）一対のガイド４６ｆが設けられている。これらのガイド４６ｆにより、ディスクトレイ４１の天面４１ｂと上ホルダ４６の下面とが面接触することが防止される。図９に示すように、各ガイド４６ｆの高さｈ１は、例えば１２５μｍである。各ガイド４６ｆとディスクトレイ４１の天面４１ｂとの隙間の高さｈ２は、例えば２００μｍである。
【００５２】
また、図９に示すように、各摺動部材４３は、ディスクトレイ４１の天面４１ｂから高さｈ３だけ切り欠かれた切欠部４１ｄに取り付けられている。高さｈ３は、例えば１１５０μｍ（１．１５ｍｍ）である。また、各摺動部材４３がディスクトレイ４１の天面４１ｂから突出する高さｈ４は、例えば１７５μｍである。各摺動部材４３の高さは、例えば、１３２５μｍ（＝ｈ３＋ｈ４）である。
【００５３】
上ホルダ４６の下面に傾斜面４６ｃ，４６ｄが形成されているため、ディスクトレイ４１がトレイホルダ４２の内部に挿入されるとき、摺動部材４３の頂部４３ａと上ホルダ４６の下面との隙間の高さは変位する。実施形態において、摺動部材４３の頂部４３ａと上ホルダ４６の下面との隙間の最大高さｈ５は、例えば、３３０μｍに設定されている。また、上ホルダ４６の中心部４６ａと切欠部４１ｄとの隙間の高さｈ６は、１４００μｍ（１．４ｍｍ）に設定されている。実施形態において、高さｈ６は、上ホルダ４６の下面とディスクトレイ４１の天面４１ｂとの隙間の最小高さになっている。高さｈ５が高さｈ６よりも短いことにより、ディスクトレイ４１をトレイホルダ４２の内部に挿入するとき、ディスクトレイ４１の天面４１ｂよりも先に摺動部材４３の頂部４３ａが上ホルダ４６の下面に接触することになる。
【００５４】
また、図８に示すように、ディスクトレイ４１がトレイホルダ４２内に収納された状態において、芯棒４４の頂部４４ａと上ホルダ４６の中心部４６ａとの間には、隙間が形成されている。当該隙間の高さｈ７は、例えば１２５μｍである。また、芯棒４４がディスクトレイ４１の天面４１ｂから突出する高さｈ８は、例えば１２５μｍである。
【００５５】
実施形態によれば、摺動部材４３がディスクトレイ４１の天面４１ｂよりも上方に突出するように取り付けられている。これにより、ディスクトレイ４１をトレイホルダ４２の内部に挿入するとき、ディスクトレイ４１の天面４１ｂよりも先に摺動部材４３がトレイホルダ４２に接触することになる。また、ディスクトレイ４１がトレイホルダ４２に収納された状態において高さ方向Ｚに振動を受けた場合も、ディスクトレイ４１の天面４１ｂよりも先に摺動部材４３がトレイホルダ４２に接触することになる。
【００５６】
また、実施形態によれば、摺動部材４３がディスクトレイ４１の前壁部分４１ａに取り付けられている。これにより、ディスクトレイ４１をトレイホルダ４２の内部に挿入する間、摺動部材４３によって上トレイ４６の下面とディスクトレイ４１の天面４１ｂとが接触することを抑えることができる。
【００５７】
また、実施形態によれば、摺動部材４３がディスクトレイ４１を構成する樹脂材料とは異なる樹脂材料で構成されている。これにより、それぞれに適した樹脂材料を用いることができる。例えば、上トレイ４６の下面を摺動しても粉体を発生し難い樹脂材料で摺動部材４３を構成することで、粉体などの異物がディスク１００のデータ記録領域に付着することを抑えることができる。
【００５８】
また、実施形態によれば、摺動部材４３がディスクトレイ４１を構成する樹脂材料よりも摺動性が高い樹脂材料で構成されている。これにより、粉体などの異物がディスク１００のデータ記録領域に付着することを一層抑えることができる。
【００５９】
また、実施形態によれば、ディスクトレイ４１の下面から摺動部材４３の頂部４３ａまでの高さが、トレイホルダ４２の内部空間の高さよりも低く構成されている。これにより、ディスクトレイ４１をトレイホルダ４２の内部に挿入するとき、摺動部材４３が上トレイ４６の下面に常時接触することを抑えることができる。その結果、粉体などの異物がディスク１００のデータ記録領域に付着することを一層抑えることができる。また、摺動部材４３と上トレイ４６の下面とが接触することによる負荷を抑えることができる。
【００６０】
また、実施形態によれば、上トレイ４６の下面には、複数枚のディスク１００の中心穴１００ａに対向する中心部４６ａから外周部４６ｂに近づくに従い上方に傾斜する傾斜面４６ｃ，４６ｄが形成されている。これにより、複数枚のディスク１００のうち最上位のディスクと上トレイ４６の下面との間の空間を広く確保することができる。その結果、仮に当該空間に異物が侵入した場合であっても、当該異物によって最上位のディスクが傷付くことを抑えることができる。
【００６１】
また、実施形態によれば、摺動部材４３の頂部４３ａと上トレイ４６の下面との隙間の最大高さｈ５が、上トレイ４６の下面とディスクトレイ４１の天面４１ｂとの隙間の最小高さｈ６よりも短く設定されている。これにより、ディスクトレイ４１をトレイホルダ４２の内部に挿入する間、摺動部材４３によって上トレイ４６の下面とディスクトレイ４１の天面４１ｂとが接触することをより確実に抑えることができる。
【００６２】
また、実施形態によれば、摺動部材４３の頂部４３ａが半球状又は略半球状に形成されている。これにより、摺動部材４３の頂部４３ａと上トレイ４６の下面が接触した場合であっても、両者は点接触することになる。その結果、粉体などの異物がディスク１００のデータ記録領域に付着することを一層抑えることができる。また、摺動部材４３と上トレイ４６の下面とが接触することによる負荷を抑えることができる。
【００６３】
また、実施形態によれば、摺動部材４３がディスクトレイ４１の幅方向Ｘの中心に対して左右対称な位置に２つ取り付けられている。摺動部材４３によって上トレイ４６の下面とディスクトレイ４１の天面４１ｂとが接触することをより確実に抑えることができる。また、例えば、ディスクトレイ４１を９０度回転させることにより、前壁部分４１ａをトレイホルダ４２の開口部４２ａに挿入する構成においては、回転方向に関わらず、ディスクトレイ４１の天面４１ｂよりも先に摺動部材４３がトレイホルダ４２に接触することになる。
【００６４】
また、実施形態によれば、芯棒４４の頂部４４ａが、ディスクトレイ４１の天面４１ｂよりも上方に突出するとともに、ディスクトレイ４１を構成する樹脂材料とは異なる樹脂材料で構成されている。これにより、上トレイ４６の下面を摺動しても粉体を発生し難い樹脂材料で芯棒４４の頂部４４ａを構成することで、粉体などの異物がディスク１００のデータ記録領域に付着することを抑えることができる。また、芯棒４４の頂部４４ａがディスクトレイ４１の天面４１ｂよりも上方に突出しているので、上ホルダ４６の中心部４６ａを外方から押圧しても、上ホルダ４６の下面が最上位のディスクに接触することを抑えることができる。
【００６５】
また、実施形態によれば、芯棒４４の頂部４４ａがディスクトレイ４１を構成する樹脂材料よりも摺動性が高い樹脂材料で構成されている。これにより、粉体などの異物がディスク１００のデータ記録領域に付着することを一層抑えることができる。
【００６６】
また、実施形態によれば、ディスクトレイ４１の下面から芯棒４４の頂部４４ａまでの高さは、トレイホルダ４２の内部空間の高さよりも低く構成されている。これにより、ディスクトレイ４１をトレイホルダ４２の内部に挿入するとき、芯棒４４の頂部４４ａが上トレイ４６の下面に常時接触することを抑えることができる。その結果、粉体などの異物がディスク１００のデータ記録領域に付着することを一層抑えることができる。また、芯棒４４の頂部４４ａと上トレイ４６の下面とが接触することによる負荷を抑えることができる。
【００６７】
なお、本発明は前記実施形態に限定されるものではなく、その他種々の態様で実施できる。例えば、前記では、摺動部材４３がディスクトレイ４１の前壁部分４１ａのみに取り付けられるものとしたが、本発明はこれに限定されない。例えば、摺動部材４３は、ディスクトレイ４１の側壁部分又は後壁部分にも取り付けられてもよい。これにより、摺動部材４３によって上トレイ４６の下面とディスクトレイ４１の天面４１ｂとが接触することをより確実に抑えることができる。
【００６８】
以上のように、本開示における技術の例示として、実施形態を説明した。そのために、添付図面及び詳細な説明を提供した。したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６９】
また、前述の実施形態は、本開示における技術を例示するためのものであるから、特許請求の範囲又はその均等の範囲において種々の変更、置き換え、付加、省略などを行うことができる。
【産業上の利用可能性】
【００７０】
本開示にかかるディスク用マガジンは、ディスクのデータ記録領域に異物が付着することを抑えることができるので、特に、複数のディスクドライブのそれぞれにディスクを供給するディスク装置に有用である。
【符号の説明】
【００７１】
１    ディスク装置
１Ａ  筐体
２    マガジンストッカー
３    マガジンユニット
４    マガジン
５    マガジンホルダ
６    レール
７    把手部
４１    ディスクトレイ
４１ａ  前壁部分
４１ｂ  天面
４１ｃ  底壁
４１ｄ  切欠部
４２    トレイホルダ
４２ａ  開口部
４３    摺動部材
４３ａ  頂部
４４    芯棒
４４ａ  頂部
４５    下ホルダ
４６    上ホルダ
４６ａ  中心部
４６ｂ  外周部
４６ｃ，４６ｄ  傾斜面
４６ｅ  側壁
４６ｆ  ガイド
１００    ディスク
１００ａ  中心穴
【図１】
2018101453.tif 000003
【図２】
2018101453.tif 000004
【図３】
2018101453.tif 000005
【図４】
2018101453.tif 000006
【図５】
2018101453.tif 000007
【図６】
2018101453.tif 000008
【図７】
2018101453.tif 000009
【図８】
2018101453.tif 000010
【図９】
2018101453.tif 000011
【図１０】
2018101453.tif 000012